(57)【要約】【課題】  本発明は、夏の冷房時には衝立を屋内正面に設置し、冬の暖房時は衝立を屋外正面に設置するためにターンテーブルを１８０度回転させて衝立と対向側の出入口を逆転することで風を阻止して冷暖房費が節約できて、中央ドア−自動開閉装置の閉めるときの間隔に長短をつけ間隔を長くして出入する人が多いときに開いた状態になりスムーズな人の流れができるようにしたターンテーブルドア−を提供する。【解決手段】  本発明は、円形ターンテーブルに周縁円弧状の衝立に対向する側は出入口となされていて、ターンテーブルの中央には衝立と同方向に曲げた円弧状の中央ドア−自動開閉装置が設けられ、この自動開閉装置には閉めるときの時間の間隔に長短をつけ間隔を長くして出入する人が多いときに開いた状態になりスムーズな人の流れができて、夏の冷房時は衝立を屋内正面に、冬の暖房時は衝立を屋外正面に立設するためにターンテーブルを１８０度回転することを特徴とするターンテーブルドア−を提供し課題を解決する。【選択図】  図１
2006348723.tif 000002
【特許請求の範囲】
【請求項１】
建物（７）の出入口の床面に回転可能に設けられた円形のターンテーブル（１）の周縁にそわした横断面がこのターンテーブル（１）とほぼ同一曲率の円弧状の衝立（２）が立設され、この衝立（２）の両脇に開口部（２１、２２）をへだてて、横断面が衝立（２）とほぼ同じ曲率の円弧状の左右に壁（４０、４１）が設けられ、上記衝立（２）の対向する側は出入口（２３）となり、左右の壁（４０、４１）の外側には横断面円弧状の扉（３０、３１）が設けられていて、開口部（２１、２２）又は出入口（２３）を閉めるようになされ、左右の壁（４０、４１）からは円弧状に曲率した仕切り壁（６０、６１）が設けられて、この仕切り壁（６０、６１）の一方の壁面に扉が設けられ、ターンテーブル中央で閉める中央ドア−（５０、５１）となるようになされていて、衝立（２）と左右壁（４０、４１）の上端には、ターンテーブル（１）と同じ大きさの天井（１１）を設け、この天井（１１）には中央ドア−（５０、５１）の上端に沿ってスリット（１００、１０１）を設け、天井（１１）の上部に室内の空調された空気（１５）をスリット（１００、１０１）から下へ送りこむファン（１２０、１２１）を設け、また自動開閉中央ドア−（５０、５１）の閉めるときの時間の間隔に長短をつけ間隔を長くして出入する人が多いときに開いた状態になりスムーズな人の流れができることで、ターンテーブル（１）を１８０度回転することにより、衝立（２）を夏の冷房時は建物（７）の内正面に設置し、冬の暖房時は衝立（２）を建物（７）の外正面に設置することを特徴とするターンテーブルドア−。
【発明の詳細な説明】
【技術の分野】
【０００１】  本発明は、大型の建物にエレガントでありスムーズな人の出入りができて、春夏秋冬の空調に合わせて、ターンテーブルを１８０度回転することにより衝立と対向側の出入口とを逆転することで冷暖房の消費電力を抑え、出入りする人にやさしい安全なターンテーブルドア−に関するものである。
【背景技術】
【０００２】  従来、自動回転ドア−は常に出入口が回転していて、子供さんや老人の出入りで混雑するととても危険ですし、慣れないと大人でも危険がありました。【０００３】  この改善に、建物の冷暖房により、夏は冷房時に屋内の重い空気が出入口から出ようとするので屋内正面に衝立を設けて阻止し、冬は暖房時に屋内の空気が上へのぼるため出入口から冷たい空気が入ろうとするので屋外正面に衝立を設け阻止することで、冷暖房の空調により衝立と対向側の出入口をターンテーブルにより１８０度回転することの出来るターンテーブルドア−を提供する。
【特許文献１】  特開平９−３２４５８３
【発明の開示】
【発明が解決しようとする課題】
【０００４】  従来の技術では、自動回転ドア−は人の多い少ないに関係なく常に回転していて、出入する人の団体やお子供さんや老人の方に危険であり、慣れないと大人でも危険な問題がある。
【課題を解決するための手段】
【０００５】  上記目的を達成するために、本発明は請求項１において、建物（７）の出入口の床面に回転可能に設けられた円形のターンテーブル（１）の周縁にそわした横断面がこのターンテーブル（１）とほぼ同一曲率の円弧状の衝立（２）が立設され、この衝立（２）の両脇に開口部（２１、２２）をへだてて、横断面が衝立（２）とほぼ同じ曲率の円弧状の左右に壁（４０、４１）が設けられ、上記衝立（２）の対向する側は出入口（２３）となり、左右の壁（４０、４１）の外側には横断面円弧状の扉（３０、３１）が設けられていて、開口部（２１、２２）又は出入口（２３）を閉めるようになされ、左右の壁（４０、４１）からは円弧状に曲率した仕切り壁（６０、６１）が設けられて、この仕切り壁（６０、６１）の一方の壁面に扉が設けられ、ターンテーブル中央で閉める中央ドア−（５０、５１）となるようになされていて、衝立（２）と左右壁（４０、４１）の上端には、ターンテーブル（１）と同じ大きさの天井（１１）を設け、この天井（１１）には中央ドア−（５０、５１）の上端に沿ってスリット（１００、１０１）を設け、天井（１１）の上部に室内の空調された空気（１５）をスリット（１００、１０１）から下へ送りこむファン（１２０、１２１）を設け、また自動開閉中央ドア−（５０、５１）の閉めるときの時間の間隔に長短をつけ間隔を長くして出入する人が多いときに開いた状態になりスムーズな人の流れができることで、ターンテーブル（１）を１８０度回転することにより、衝立（２）を夏の冷房時は建物（７）の内正面に設置し、冬の暖房時は衝立（２）を建物（７）の外正面に設置することを特徴とするターンテーブルドア−を提供し課題を解決する。
【発明の効果】
【０００６】  本発明のターンテーブルドア−は、建物の空調設備において、夏の冷房時と冬の暖房時にターンテーブルを回転させて衝立と対向側の出入口を逆転することで、冷房時の重い空気が建物の出入口から出るのを内正面に衝立を設けて阻止し、暖房時の軽い空気が建物に登ろうとする力と、冬の冷たく重い外気をとめるために出入口の外正面に衝立を設けて阻止することで消費電力が軽減できて、また自動開閉中央ドア−の閉める時の時間に長短をつけ間隔を長くして出入する人が多いときにドア−が開いた状態になりスムーズな人の流れができて安全な利点がある。
【発明を実施するための最良の形態】
【０００７】  ターンテーブルドア−は、ターンテーブル（１）の周縁にほぼ同一曲率の衝立（２）を設け、この衝立（２）の両脇に開口部（２１、２２）をへだてて、円弧状の左右に壁（４０，４１）を設け、この壁（４０、４１）の外側には扉（３０、３１）が設けられていて、開口部（２１、２２）又は出入口（２３）を閉めるようになされていて、左右の壁（４０、４１）からは円弧状の仕切り壁（６０、６１）が設けられて、この仕切り壁（６０、６１）の一方の壁面に扉が設けられ、ターンテーブル中央で閉める中央ドア−（５０、５１）となるようになされていて、この天井（１１）には中央ドア−（５０、５１）の上端に沿ってスリット（１００、１０１）を設け、天井（１１）の上部に室内の空調された空気（１５）をスリット（１００、１０１）から送りこむファン（１２０、１２１）を設け、また自動開閉中央ドア−の閉めるときの時間の間隔に長短をつけ間隔を長くして出入する人が多いときに開いた状態になりスムーズな人の流れができることで、ターンテーブル（１）を１８０度回転することにより衝立と対向側の出入口を逆転することで、衝立（２）を夏の冷房時は建物（７）の内正面に設置し、冬の暖房時は衝立（２）を建物（７）の外正面に設置することのできるターンテーブルドア−にすることを実現した。
【実施例１】
【０００８】  図１は、ターンテーブルドア−の出入口（２３）を正面にした夏の冷房時に対処した状態であり、正面玄関の扉（３０、３１）が開いていて、中央ドアー（５０、５１）も開いている状態で、天井（１１）には中央ドア−（５０、５１）の上端に沿ってスリット（１００、１０１）が設けられ、このスリット（１００、１０１）から室内の空調された空気を下へ送りこむファン（１２０、１２１）が設置され、モーター（１３０、１３１）は省略された立体図である。
図２は、建物（７）の内正面に衝立（２）を設けて、夏の冷房時の重い空気の風（１４）を衝立（２）が阻止し、衝立（２）と同方向の曲がりの仕切り壁（６０、６１）と一方の壁面に設けられている中央ドア−（５０、５１）とで風を阻止する状態で、中央ドア−（５０、５１）と扉（３０、３１）が開いた状態の上から見た断面図である。
図３は、建物（７）の外正面に衝立（２）を設けて、冬の暖房時に建物の上へ登ろうとする軽い空気の風と、冬の冷たくて重い外気が建物に入ろうとする風（１４）を衝立（２）が阻止することで、図２と図３でターンテーブル（１）を回転させて衝立（２）と対向側の出入口（２３）とを逆転された冬の状態を上から見た断面図である。
図４は、左右の壁（４０、４１）の外側には横断面円弧状の扉（３０、３１）が設けられていて、開口部（２１、２２）の方向（１７）又は出入口（２３）の方向（１６）を閉めるようになされている事を示す上から見た断面図である。
図５は、ターンテーブル（１）と同じ大きさの天井（１１）を設け、この天井（１１）には中央ドア−（５０、５１）の上端に沿ってスリット（１００、１０１）を設け、天井（１１）の上部に室内の空調された空気（１５）を吸気口（９０）から取り入れてスリット（１００、１０１）から下へ送りこむファン（１２０、１２１）を設けて、この天井（１１）の外側に天井隠し（８）を設けて吸気口（９１）からの空気を防ぐようになされている天井（１１）の上から見た断面図である。
図６は、建物（７）の表正面に衝立（２）を設置し、天井（１１）の天井隠し（８）の内側に吸気口（９１）が設けられ、その奥の中央ドア−の上端にファン（１２０、１２１）と動力（１３０、１３１）が設けられている断面図を示した正面図である。
【産業上の利用可能性】
【０００９】  本発明の活用例として、大きい建物（デパートなど）の出入口は人の出入りも多く、出入口に２重の自動ドア−を設置した場合は人の出入りが多いと両方の自動ドア−が開く為に冷暖房費に無駄ができ、自動回転ドア−の場合は外気を遮断する効率はよいが人の出入りが多いときはお子さんやお年寄りに危険でしたが、本発明は、夏の冷房時には衝立を屋内正面に設置し、冬の暖房時は衝立を屋外正面に設置するためにターンテーブルを１８０度回転し逆転させるようにして、中央ドア−自動開閉装置を衝立と同方向に曲げた円弧状にしたことで風を効率よく阻止して、冷暖房費が節約できて、また中央ドア−自動開閉装置の閉めるときの間隔に長短をつけ間隔を長くして出入する人が多いときに開いた状態になりスムーズな人の流れができるようにしたターンテーブルドア−を提供する。
【図面の簡単な説明】
【００１０】
【図１】は本発明の実施例１を示す説明図である。
【図２】はターンテーブルドア−の夏の冷房時を上から見た断面図である。
【図３】はターンテーブルドア−の冬の暖房時を上から見た断面図である。
【図４】は扉が開口部又は出入口とを閉める様子を上から見た断面図である。
【図５】はターンテーブルドア−の天井を上から見た断面図である。
【図６】はターンテーブルドア−の冬の状態を正面から見た天井部分の断面図である。
【符号の説明】
【００１１】１、              ターンテーブル
２、              衝立
７、              建物
８、              天井隠し
１１、            天井
１４、            風
１５、            空気
１６、１７        方向
２１、２１        開口部
２３              出入口
３０、３１        扉
４０、４１        壁
５０、５１        中央ドアー
６０、６１        仕切り壁
９０、９１        吸気口
１００、１０１    スリット
１２０、１２１    ファン
１３０、１３１    動力
【図１】
2006348723.tif 000003
【図２】
2006348723.tif 000004
【図３】
2006348723.tif 000005
【図４】
2006348723.tif 000006
【図５】
2006348723.tif 000007
【図６】
2006348723.tif 000008